【事件の表示】
　商願２００１−　２６９５９拒絶査定不服審判事件について、次のとおり審決する。
【結　論】
　本件審判の請求は、成り立たない。
【理　由】
１　本願商標
　本願商標は、別掲のとおりの構成よりなり、願書記載のとおりの商品を指定商品とし、平成１３年３月２６日に登録出願され、その後、指定商品については、同１４年３月５日、同１４年４月３日付け及び同１６年６月７日付け手続補正書をもって、第１０類「医療用機械器具（ポリ塩化ビニル製のものを除く。）」、第２０類「プラスチック製の包装用容器（ポリ塩化ビニル製のものを除く。）」及び第２１類「化粧用具（ポリ塩化ビニル製のもの並びに『電気式歯ブラシ』を除く。）」と補正されたものである。
　
２　原査定の拒絶の理由
　原査定は、「本願商標は、『ｎｏｎ』の文字をやや小さく『ＰＶＣ』の文字を大きく二段に書し、上段の『ｎ』の文字の終わりから、下段の『Ｐ』の文字の下まで丸みを帯びた細い二本の線を配した構成よりなるものであるが、構成中の『ＰＶＣ』の文字は『ポリ塩化ビニール』を意味する英語『ｐｏｌｙｖｉｎｙｌ　ｃｈｌｏｒｉｄｅ』の略称を表し、『ｎｏｎ』の文字は『非、無』等を意味する仏語であるから、これからは『非ポリ塩化ビニル』の意味合いを看取させるものであり、図形部分は格別人の目を引く程の強い識別性をもったものともいえないものである。そして、ポリ塩化ビニル（ｐｏｌｙｖｉｎｙｌ　ｃｈｌｏｒｉｄｅ）は、焼却処理に伴うダイオキシンの発生源となっており、また、ＰＶＣ製品化時に可塑剤と使用されるフタル酸エステルは環境ホルモン物質であることから、最近では、日用品及び玩具等ではＰＶＣでない素材への切り替えが進められていることがインターネットを通じて伺い知ることができる。そうとすれば、これを本願指定商品中上記文字に照応する商品に使用しても、単に商品の品質を普通に用いられる方法で表示するにすぎないものと認める。したがって、本願商標は、商標法第３条第１項第３号に該当し、前記商品以外の商品に使用するときは、商品の品質の誤認を生じさせるおそれがあるので、商標法第４条第１項第１６号に該当する。」旨認定、判断し、本願を拒絶したものである。
　
３　当審の判断
　本願商標は、別掲のとおりの構成よりなるところ、本願商標のその構成中上段にやや小さく書された「ｎｏｎ」の文字部分は、「非、無」等を意味するものとして親しまれているものであって、また、下段の「ＰＶＣ」の文字は「ポリ塩化ビニル（通称塩化ビニル）（ｐｏｌｙｖｉｎｙｌ　ｃｈｌｏｒｉｄｅ）」を意味する略語として使用されているものであるから（新英和大辞典第５版　株式会社研究社発行）、全体をして「非ポリ塩化ビニル」を認識するものである。
　また、一般的に、表示している文字を目だ立たせ強調するため、輪郭や地を設けその中に文字を表示する方法等が行われている実情からして、本願商標中の二重線で表した部分は、文字部分を引き立たせ強調するにすぎない付記的なものであり、自他商品を識別する標識として機能するものとは認め難いものである。
　そして、「ＮＯＮＰＶＣ」、「ｎｏｎＰＶＣ」及び「ＮｏｎＰＶＣ」の文字が、取引上普通に使用されている実情としては、例えば、次のような新聞記事及びインターネットによるホームページの情報により認めることができる。
　
（１）「４１．ＭＯＮＯ　
ＮＯＮＰＶＣ
ＮＯＮＰＶＣ
（２）「子どもたちの文房具、環境に配慮したものを使ってみませんか」の見出しのもと、「多くのメーカーのカタログにはエコロジー商品のページが巻頭にあって熱心に取り組んでいることが伺われます。でも燃焼時に有毒ガスを発生させないと銘打った非塩ビ消しゴムのとなりに塩ビ消しゴムが並んでいて、理由は再生紙のスリーブ（カバー）使用となっていたりして、私たち消費者の目からみると『？』のつくものもあります。（中略）けしごむ…（
ｎｏｎＰＶＣ
（３）「協力企業・協力者一覧」の見出しのもと、「（株）タジマ　ポリプロピレン板、　
ＮｏｎＰＶＣ
　
　加えて、「ｎｏｎ　ＰＶＣ」に通じる「非塩化ビニル」、「非塩化ビニール」及び「非ＰＶＣ」の文字が、近年の環境に配慮した製品の原材料の名称として、普通に使用されている実情としては、例えば、次のような新聞記事及びインターネットによるホームページの情報により認めることができる。
　
（４）「サンクス、非塩ビ系ラップを採用」の見出しのもと、「（株）サンクスアンドアソシエイツは、弁当、調理パンや惣菜などに使うラップを現在の塩化ビニルから、燃焼時にダイオキシンを発生しない
非塩化ビニル
（５）「環境配慮商品、どれだけ普及？　府などが調査隊　来月から府内全域／大阪」の見出しのもと、「再生紙配合のトイレットペーパーやダイオキシンが発生しない
非塩化ビニール
（６）「代替品普及、課題はコスト　早期解明望む医療現場」の見出しのもと、「プラスチック製医療用具に含まれる化学物質の溶出はここ数年、これらの物質に内分泌かく乱化学物質（環境ホルモン）の疑いが指摘され始めたことで、注目されるようになってきた。（中略）大手医療器具メーカーのテルモ（東京）やニッショー（大阪市）は、問題視されているフタル酸ジエチルヘキシル（ＤＥＨＰ）を使う必要がない
非塩化ビニール
（７）「機能性百景　Ｖｏｌ．　００４【コンバーテック２００３．１月号掲載】」の見出しのもと、「昨年１２月の東北新幹線『はやて』開業は、まだ記憶に新しいだろう。そのニュースの中に小さく『塩化ビニル系の素材を減らした素材を採用』という記述があった。この素材とは、リケンテクノス（株）のＰＥＴ系化粧粘着シート『ＲＩＶＥＳＴＡＲ　ｆｉｎｏ（リベスター　フィーノ）』のことだ。
非ＰＶＣ
非ＰＶＣ
（８）「住民基本台帳カードへの取り組み」の見出しのもと、「●耐久性　強度、高品質を保つ信頼性の高い非ポリ塩化ビニール（
非ＰＶＣ
（９）「テルモは環境に配慮し塩化ビニル（ＰＶＣ）を使用していない医療器具を品揃え」の見出しのもと、「今年度は、製品の包装素材のほとんどを、ＰＥＴ（ポリエチレン・テレフタレート樹脂）などの塩素を含まない
非ＰＶＣ
非ＰＶＣ
（１０）「松下電子部品株式会社　環境保全活動　グリーンプログラム」の見出しのもと、「■脱ＰＶＣアルミニウム電解コンデンサ・電気二重層コンデンサ　焼却時有害物質（ダイオキシン）発生の危険性のない
非ＰＶＣ
　
　以上よりすれば、本願商標をその指定商品に使用した場合、上記実情からしても、これに接する取引者、需要者は、その商品が単に「非ポリ塩化ビニル製の商品」であると認識し、商品の品質及び原材料を表示したものと理解するにとどまるものであるから、本願商標は、結局、自他商品の識別標識としての機能を果たし得ないものというのが相当である。
　したがって、本願商標が商標法第３条第１項第３号に該当するとして本願を拒絶した原査定は、妥当であって、取り消すべきでない。
　なお、本願商標は、前記１のとおりの補正がなされた結果、本願指定商品からポリ塩化ビニル製の商品が除外されたことから、これをその指定商品に使用しても商品の品質について誤認を生ずるおそれはなくなったから、本願商標が商標法第４条第１項第１６号に該当するとした拒絶の理由は、解消した。
　また、請求人は、過去の登録例を挙げて、種々述べているが、本願と事案を異にするので、採用することができない。
　加えて、請求人は、平成１６年６月７日付けで審理再開申立書を提出し、そこで「審判請求書において、指定商品の範囲を減縮する補正を行った旨記載したが、確認したところ当該補正書が提出されていなかったので、本審判の審理の再開を申し立てる。」旨述べ、あわせて同日付けで商品を減縮する手続補正書を提出しているが、該補正書は、上記認定・判断に影響を及ぼすものとは認められないから、本件審判事件に係る審理の再開は行わないこととした。
　よって、結論のとおり審決する。